(57)【要約】【課題】吸収体の肌面側に凹部が形成された吸収性物品において、体液と肌との接触を極力無くし肌トラブルを防止するとともに、逆戻りを防止する。【解決手段】前記吸収体４は、肌面側の上層吸収体９と非肌面側の下層吸収体１０とを積層した構造とされ、前記上層吸収体９は、体液排出部位に対応する位置に貫通部１１を有するとともに、前記貫通部１１を囲む周囲に該貫通部１１の周縁から上層吸収体９の上面に至る斜面状の集液用スロープ部１２を有し、かつ前記貫通部１１を除き前記集液用スロープ部１２の上面を覆うように不透液性シート１３又は難透液性シート１３を配置し、前記下層吸収体１０は、上面側であって少なくとも前記貫通部１１及び集液用スロープ部１２に対応する領域に吸収性物品の長手方向に沿って延びる複数条の拡散用エンボス１４，１４…を設ける。【選択図】図３
2015181665.tif 000002
【特許請求の範囲】
【請求項１】
表面シートと裏面シートとの間に吸収体が介在されるとともに、前記吸収体の肌面側に凹部が形成された吸収性物品において、
前記吸収体は、肌面側の上層吸収体と非肌面側の下層吸収体とを積層した構造とされ、
前記上層吸収体は、体液排出部位に対応する位置に貫通部を有するとともに、前記貫通部を囲む周囲に該貫通部の周縁から上層吸収体の上面に至る斜面状の集液用スロープ部を有し、かつ前記貫通部を除き前記集液用スロープ部の上面を覆うように不透液性シート又は難透液性シートを配置し、
前記下層吸収体は、吸収体の上面側であって少なくとも前記貫通部及び集液用スロープ部に対応する領域に吸収性物品の長手方向に沿って延びる複数条の拡散用エンボスを設けたことを特徴とする吸収性物品。
【請求項２】
高吸水性ポリマーを前記下層吸収体のみに混合するか、前記上層吸収体及び下層吸収体の両方に混合している請求項１記載の吸収性物品。
【請求項３】
前記上層吸収体に形成した貫通部の平面積は、前記上層吸収体の全平面積の１０〜４０％の割合で形成している請求項１，２いずれかに記載の吸収性物品。
【請求項４】
前記上層吸収体に形成した貫通部の幅方向寸法及び長手方向寸法は、前記集液用スロープ部の外側形状線の幅方向寸法及び長手方向寸法に対して、１／１．２〜３．０の割合で形成している請求項１〜３いずれかに記載の吸収性物品。
【請求項５】
前記拡散用エンボスは、線状溝、波状溝及びジグザグ状溝の内のいずれかとし、少なくとも３条以上の本数で形成している請求項１〜４いずれかに記載の吸収性物品。
【請求項６】
前記上層吸収体と前記下層吸収体との間に、前記貫通部の周縁位置を内方側始端として周方向周りに第２の不透液性シート又は難透液性シートが介在されている請求項１〜５いずれかに記載の吸収性物品。
【請求項７】
前記表面シートは不織布とされ、前記貫通部に対応する部位は親水性とし、それ以外領域は撥水性としている請求項１〜６いずれかに記載の吸収性物品。
【発明の詳細な説明】
【技術分野】
【０００１】
本発明は、経血やおりもの、尿などを吸収するための生理用ナプキン、パンティライナー、失禁パッド等の吸収性物品であって、特には吸収体の肌面側に凹部が形成された吸収性物品に関する。
【背景技術】
【０００２】
従来より、生理用ナプキン、パンティライナー、失禁パッドなどの吸収性物品として、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品にも幾多の改良が重ねられ、一度に多くの体液が排出された場合の吸収性能を上げるために、吸収体に長手方向に沿って設けた凹部によって体液の一時貯留部を設けた吸収性物品が知られている。
【０００４】
例えば、下記特許文献１では、吸収体が、肌当接面側の上層吸収体と非肌当接面側の下層吸収体とを有し、該上層吸収体と下層吸収体とがなす中高部は、肌当接面側に形成された長手方向に延びるくぼみを有し、前記くぼみは、前記上層吸収体を貫通した貫通部であり、該貫通部の底面をなすよう前記上層吸収体の下面に前記下層吸収体が位置する吸収性物品が開示されている。
【０００５】
また、下記特許文献２では、吸収層は、面積が異なる上部吸収層と下部吸収層とが積層され、該吸収層には、段差が形成されており、表面シート及び吸収層に一体的に、吸収性物品の長手方向に延びる凹部が形成され、該凹部は、吸収性物品の短手方向の中央に、前記段差の高部及び低部に亘って形成されており、該凹部は、該吸収層の段差部において途切れることなく連続的に形成されている吸収性物品が開示されている。
【０００６】
さらに、下記特許文献３では、少なくとも一方の面に開口を形成する溝部を有する吸収体と、前記吸収体の前記一方の面を被覆するように配置され、少なくとも一部が液透過性材料からなるトップシートと、前記吸収体の他方の面を被覆するように配置され、液不透過性材料からなるバックシートとを備え、前記溝部は、前記吸収体の厚さ方向に直交する面における開口幅が前記一方の面から前記他方の面に向うに従って小さくなっている吸収性物品が開示されている。
【先行技術文献】
【特許文献】
【０００７】
【特許文献１】特開２００９−１１２５９０号公報
【特許文献２】特開２００８−１７３２４７号公報
【特許文献３】特開２０１０−２７３８４２号公報
【発明の概要】
【発明が解決しようとする課題】
【０００８】
上記特許文献１〜３にかかる吸収性物品の場合は、吸収体に形成した凹部（くぼみ、凹部、溝部）によって体液の吸収性能は格段に向上するようになる。
【０００９】
しかしながら、前記凹部は長手方向に長い細溝状を成しており、体液が凹部の周辺に排出された場合は、凹部まで流れ込むことは無く、肌と体液とが接触し、肌トラブルの原因になることがあるとともに、逆戻りも効果的に防止することができなかった。
【００１０】
また、一旦凹部内に集められた体液は、ここから吸収体に吸収されることになるが、凹部の周辺の吸収体部分が飽和吸液量に達すると、逆に逆戻りが増えるとともに、肌に付着する体液が増えるようになるなどの問題があった。更に、凹部周辺に配置された高吸水性ポリマーが膨潤して凹部を塞いだり、凹部部分が逆に周辺よりも肌面側に隆起する場合もあった。
【００１１】
そこで本発明の主たる課題は、吸収体の肌面側に凹部が形成された吸収性物品において、体液と肌との接触を極力無くし肌トラブルを防止するとともに、逆戻りを防止し、更に高吸水性ポリマーの膨潤によって凹部を塞いだり、凹部が隆起したりするのを防止した吸収性物品を提供することにある。
【課題を解決するための手段】
【００１２】
上記課題を解決するために請求項１に係る本発明として、表面シートと裏面シートとの間に吸収体が介在されるとともに、前記吸収体の肌面側に凹部が形成された吸収性物品において、
前記吸収体は、肌面側の上層吸収体と非肌面側の下層吸収体とを積層した構造とされ、
前記上層吸収体は、体液排出部位に対応する位置に貫通部を有するとともに、前記貫通部を囲む周囲に該貫通部の周縁から上層吸収体の上面に至る斜面状の集液用スロープ部を有し、かつ前記貫通部を除き前記集液用スロープ部の上面を覆うように不透液性シート又は難透液性シートを配置し、
前記下層吸収体は、吸収体の上面側であって少なくとも前記貫通部及び集液用スロープ部に対応する領域に吸収性物品の長手方向に沿って延びる複数条の拡散用エンボスを設けたことを特徴とする吸収性物品が提供される。
【００１３】
上記請求項１記載の発明では、吸収体は、肌面側の上層吸収体と非肌面側の下層吸収体とを積層した構造とされる。そして、前記上層吸収体については、体液排出部位に対応する位置に貫通部を有するとともに、前記貫通部を囲む周囲に該貫通部の周縁から上層吸収体の上面に至る斜面状の集液用スロープ部を有し、かつ前記貫通部を除き前記集液用スロープ部の上面を覆うように不透液性シート又は難透液性シートを配置する一方、前記下層吸収体については、吸収体の上面側であって少なくとも前記貫通部及び集液用スロープ部に対応する領域に吸収性物品の長手方向に沿って延びる複数条の拡散用エンボスを設けるようにしている。
【００１４】
従って、体液が排出されると、体液は前記集液用スロープ部の上面を滑り落ちるように凹部の底部に集液される。このように、体液が１箇所に素早く集液されることによって肌との接触機会が少なくなり、肌トラブルが未然に防止できるようになる。
【００１５】
前記凹部の底面に集液された体液は、前記下層吸収体に吸収された後、前記拡散用エンボスによって吸収性物品の長手方向に沿って拡散される。拡散された体液は、上側に上層吸収体が存在していること及び前記集液用スロープ部の上面に不透液性シート又は難透液性シートが配置されていることによって、表面側に逆戻りすることがない。また、前記不透液性シート又は難透液性シートが配置されていることによって吸収体の変形を抑えるため、体液の吸収によって高吸水性ポリマーが膨潤して凹部が消失したり、凹部容積が減少したりするのを防止することができる。
【００１６】
請求項２に係る本発明として、高吸水性ポリマーを前記下層吸収体のみに混合するか、前記上層吸収体及び下層吸収体の両方に混合している請求項１記載の吸収性物品が提供される。
【００１７】
上記請求項２記載の発明では、高吸水性ポリマーを前記下層吸収体のみに混合するか、前記上層吸収体及び下層吸収体の両方に混合している。本吸収性物品の場合は、体液の多くは下層吸収体側に吸収されることになるため、高吸水性ポリマーは下層吸収体のみに混合してもよい。また、体液の排出部位が大きくずれることが予想される場合には、上層吸収体と下層吸収体の両方に高吸水性ポリマーを混合するようにすればよい。
【００１８】
請求項３に係る本発明として、前記上層吸収体に形成した貫通部の平面積は、前記上層吸収体の全平面積の１０〜４０％の割合で形成している請求項１，２いずれかに記載の吸収性物品が提供される。
【００１９】
上記請求項３記載の発明は、前記貫通部の大きさを規定したものである。具体的には、前記上層吸収体に形成した貫通部の平面積は、前記上層吸収体の全平面積の１０〜４０％の割合で形成するのが望ましい。
【００２０】
請求項４に係る本発明として、前記上層吸収体に形成した貫通部の幅方向寸法及び長手方向寸法は、前記集液用スロープ部の外側形状線の幅方向寸法及び長手方向寸法に対して、１／１．２〜３．０の割合で形成している請求項１〜３いずれかに記載の吸収性物品が提供される。
【００２１】
上記請求項４記載の発明は、上層吸収体に形成した貫通部の大きさ（面積）と、前記集液用スロープ部の外側形状線の大きさ（面積）との比率を規定したものである。具体的には、前記上層吸収体に形成した貫通部の幅方向寸法及び長手方向寸法は、前記集液用スロープ部の外側形状線の幅方向寸法及び長手方向寸法に対して、１／１．２〜３．０の割合で形成するのが望ましい。ここで、前記貫通部の大きさ（面積）は体液の集液箇所の大きさを意味し、前記集液用スロープ部の外側形状線の大きさ（面積）は体液排出部位の位置ズレを考慮した上での体液の排出領域として想定されるエリアを意味する。
【００２２】
請求項５に係る本発明として、前記拡散用エンボスは、線状溝、波状溝及びジグザグ状溝の内のいずれかとし、少なくとも３条以上の本数で形成している請求項１〜４いずれかに記載の吸収性物品が提供される。
【００２３】
上記請求項５記載の発明は、前記拡散用エンボスの形状及び本数を規定したものである。具体的に、前記拡散用エンボスとしては、線状溝、波状溝及びジグザグ状溝の内のいずれかとし、少なくとも３条以上の本数で形成していることが好ましい。これらのエンボス形状の内、最も望ましいのは線状溝であり、本数は５〜１０本程度で形成するのが望ましい。
【００２４】
請求項６に係る本発明として、前記上層吸収体と前記下層吸収体との間に、前記貫通部の周縁位置を内方側始端として周方向周りに第２の不透液性シート又は難透液性シートが介在されている請求項１〜５いずれかに記載の吸収性物品が提供される。
【００２５】
上記請求項６記載の発明は、前記集液用スロープ部の上面を覆う不透液性シート又は難透液性シートとともに、前記上層吸収体と前記下層吸収体との間に、前記貫通部の周縁位置を内方側始端として周方向周りに第２の不透液性シート又は難透液性シートを介在させるようにしたものである。この構成によって、集液用スロープ部の貫通部側近傍部分において、集液用スロープ部を伝わって流れ落ちてきた体液を放射方向に拡散させて下層吸収体に導くことが可能となる。なお、前記第２の不透液性シート又は難透液性シートは例えば平面視でドーナツ形状をなし、内方側周端は前記貫通部の周縁位置とするが、外方側終端は前記集液用スロープ部に対応する領域全部を覆う必要はなく、前記集液用スロープ部に対応する領域の途中までを覆うようにしてもよい。
【００２６】
請求項７に係る本発明として、前記表面シートは不織布とされ、前記貫通部に対応する部位は親水性とし、それ以外領域は撥水性としている請求項１〜６いずれかに記載の吸収性物品が提供される。
【００２７】
上記請求項７記載の発明は、前記表面シートの変形例を示したものである。表面シートとしては通常は親水性不織布が多く用いられているが、本吸収性物品では、前記貫通部に対応する部位は親水性とし、それ以外領域は撥水性とすることも可能である。貫通部の周囲を撥水性とすることで、体液を１カ所に集まり易くすることができる。
【発明の効果】
【００２８】
以上詳説のとおり本発明によれば、吸収体の肌面側に凹部が形成された吸収性物品において、体液と肌との接触を極力無くし肌トラブルを防止するとともに、逆戻りを防止し、更に高吸水性ポリマーの膨潤によって凹部を塞いだり、凹部が隆起したりするのを防止することが可能となる。
【図面の簡単な説明】
【００２９】
【図１】本発明に係る生理用ナプキン１の平面図である。
【図２】図１の横断面図（II−II線矢視図）である。
【図３】吸収体４の斜視図である。
【図４】吸収体４の平面図である。
【図５】拡散用エンボス１４の他例を示すエンボス形状図である。
【図６】吸収体４の他の形態例を示す横断面図である。
【図７】ナプキン１の他の形態例を示す横断面図である。
【発明を実施するための形態】
【００３０】
以下、本発明の実施の形態について図面を参照しながら詳述する。
【００３１】
〔生理用ナプキン１の基本構成例〕
生理用ナプキン１は、図１に示されるように、ポリエチレンシート、ポリプロピレンシートなどからなる不透液性裏面シート２と、経血やおりものなどを速やかに透過させる透液性表面シート３と、これら両シート２，３間に介在された綿状パルプ、合成パルプと高吸水性ポリマーなどからなる吸収体４と、この吸収体４の形状保持および拡散性向上のために前記吸収体４を囲繞するクレープ紙５と、表面両側部にそれぞれ長手方向に沿って配設されたサイド不織布７，７とから構成されている。前記吸収体４の周囲において、そのナプキン長手方向の前後端縁部では、前記不透液性裏面シート２と透液性表面シート３との外縁部がホットメルトなどの接着剤やヒートシール等の接着手段によって接合され、またその両側縁部では吸収体４の端縁よりも側方に延出している前記不透液性裏面シート２と前記サイド不織布７とがホットメルトなどの接着剤やヒートシール等の接着手段によって接合され、外周に吸収体４の存在しない外周フラップ部Ｆが形成されている。
【００３２】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３３】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００３４】
前記不透液性裏面シート２と透液性表面シート３との間に介在される吸収体４は、図２にも示されるように、肌面側に凹部８が形成された吸収体であり、肌面側の上層吸収体９と非肌面側の下層吸収体１０とを積層した２層構造の吸収体とされる。前記吸収体４は、たとえばフラッフ状パルプと高吸水性ポリマーとにより構成されている。図示例では平面形状がパッド長手方向に長い縦長の略小判形とされている。前記高吸水性ポリマーは例えば粒状粉とされ、吸収体４を構成するパルプ中に分散混入されている。
【００３５】
前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記パルプの目付は、１００ｇ／ｍ２〜８００ｇ／ｍ２、好ましくは２００ｇ／ｍ２〜５００ｇ／ｍ２とするのがよい。
【００３６】
前記高吸水性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性ポリマーは製造プロセスにおいて、架橋密度および架橋密度勾配を調整することにより吸水力（吸収倍率）と吸水速度の調整が可能である。前記ポリマーの目付は、５ｇ／ｍ２〜５００ｇ／ｍ２、好ましくは生理用ナプキンの場合は５ｇ／ｍ２〜１５０ｇ／ｍ２、失禁パッドの場合は１００ｇ／ｍ２〜４５０ｇ／ｍ２とするのがよい。
【００３７】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。前記吸収体４の構造については、後段で更に詳しく説明する。
【００３８】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。吸収体４としてエアレイド吸収体を使用した場合、吸収体自体の吸収性能及び保形性が優れるため、クレープ紙５を使用していなくてもよい。また、前記クレープ紙５は、不織布や低目付のエアレイド不織布を使用してもよい。また、吸収体４を囲繞せずに、吸収体４と透液性表面シート３との間のみに介在させたり、吸収体４と透液性表面シート３との間及び吸収体４と不透液性裏面シート２との間にそれぞれ介在させたりすることができる。
【００３９】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによってウイング状フラップＷ、Ｗが形成されている。
【００４０】
前記サイド不織布７としては、重要視する機能の点から撥水処理不織布または親水処理不織布を使用することができる。たとえば、体液が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００４１】
〔吸収体４について〕
本生理用ナプキン１においては、前記吸収体４は、図２及び図３に示されるように、肌面側に凹部８が形成された吸収体であり、肌面側の上層吸収体９と非肌面側の下層吸収体１０とを積層した２層構造の吸収体とされる。前記凹部８は、従来のような溝断面の細長いスリット状ではなく、所定範囲（体液排出部位の位置ズレを考慮した上で体液の排出領域として想定される範囲）のエリア全体を窪めた逆截頭錐台形状の凹部形状である。すなわち、凹部８の形状は、吸収体４の上面レベルでの開口面積ＡＵと凹部底面積ＡＬとの関係がＡＵ＞ＡＬであり、上面レベルでの開口面積ＡＵが底部側に行くに従って漸次縮小する凹部形状である。前記凹部８の形状は、図示例では縦方向に長い逆截頭楕円錐台形状としたが、閉合形状であれば逆截頭円錐台形状、逆截頭角錐台形状等としてもよい。
【００４２】
前記吸収体４を構成している上側の前記上層吸収体９は、体液排出部位に対応する位置に貫通部１１を有するとともに、前記貫通部１１を囲む周囲に貫通部１１の周縁から上層吸収体９の上面に至る斜面状の集液用スロープ部１２を有し、かつ前記貫通部１１を除き前記集液用スロープ部１２の上面を覆うようにリング形状の不透液性シート１３又は難透液性シート１３を配置している。なお、前記不透液性シート１３又は難透液性シート１３は、同図２に図示されるように、透液性表面シート３の下面側であって、かつ前記クレープ紙５の上面側に配置するのが望ましい。
【００４３】
前記貫通部１１の形状は、図示例では縦長の楕円形状としたが、閉合形状であれば円形、多角形状等としてもよい。最も好ましいのは、吸収体４が縦長であることから縦長の楕円形状とするのが望ましく、楕円又は円形状のように、角部を持たない形状の方が肌への当りが柔らかくなるため望ましい。また、前記集液用スロープ部１２に貫通部１１の周縁から放射方向に体液の流下を促すために樋溝を設けるようにしてもよい（図示せず）。この樋溝の貫通部１１側の端部は、前記下層吸収体１０に形成した後述の拡散用エンボス１４、１４…に接続してもよいし、接続しなくてもよい。
【００４４】
前記上層吸収体９の製造方法は、吸収体の積繊時に図示のような形状に積繊成形する他、積繊時に貫通部１１を形成しておき、その後に圧縮成形することにより前記集液用スロープ部１２を形成するようにしてもよい。
【００４５】
前記上層吸収体９に形成した貫通部１１の平面積Ａ０（＝前記凹部８の底面積ＡＬ）は、前記上層吸収体９の全平面積Ａ１の１０〜４０％の割合、好ましくは１５〜３０％の割合で形成されている。また、図４に示されるように、前記上層吸収体９に形成した貫通部１１の幅方向寸法ＫＢ及び長手方向寸法ＫＬは、前記集液用スロープ部１２の外側形状線の幅方向寸法ＳＢ及び長手方向寸法ＳＬに対して、それぞれ１／１．２〜３．０の割合で形成されているのが好ましい。面積比で表現すると、貫通部１１の平面積Ａ０と、貫通部１１及び集液用スロープ部１２の合計面積Ａ１との面積比は、１：１．４４〜９．０で形成されているのが好ましい。
【００４６】
前記不透液性シート１３としては、ポリエチレン又はポリプロピレン等のオレフィン系の熱可塑性樹脂フィルム、ポリエステル、ナイロンなどのポリアミド系樹脂フィルム、ＥＶＡフィルム、不透液性の紙などを使用することができ、通気性を有することが望ましい。前記難透液性シート１３としては、たとえばシリコン系、パラフィン系、アルキルクロミッククロリド系撥水剤などをコーティングした撥水処理不織布や難透水性の紙などが使用できる。前記不透液性シート１３又は前記難透液性シート１３は、体液排出部に対して相対して装着しやすいように、吸収体４の色と異なるように着色したシートを用いてもよい。
【００４７】
一方、前記吸収体４を構成している下側の下層吸収体１０は、図４に示されるように、その上面側であって前記貫通部１１及び集液用スロープ部１２に対応する領域に対して生理用ナプキン１の長手方向に沿って延びる複数条の、図示例では９条の拡散用エンボス１４，１４…が設けられている。前記拡散用エンボス１４は、図４に図示した線状溝とする以外に、たとえば図５(A)に示される波状溝、図５(B)(C)に示されるジグザグ状溝とすることができる。前記拡散用エンボス１４は、効果的に体液を前後方向に拡散させるために少なくとも３条以上、好ましくは５条以上の本数で形成するのが望ましい。この下層吸収体１０としては、厚みを抑えたい場合は、エアレイド吸収体を用いることができる。
【００４８】
前記高吸水性ポリマーは、少なくとも前記下層吸収体１０の内部に混合するようにする。前記上層吸収体９には、高吸水性ポリマーを混合してもよいし、混合しなくてもよい。体液の排出部位が位置ズレすることを想定した場合には、上層吸収体９にも高吸水性ポリマーを混合するのが望ましい。
【００４９】
前記上層吸収体９と下層吸収体１０とは、同じ外形寸法とされ、下層吸収体１０の上側に上層吸収体９が重ねられる。したがって、凹部８の底部は、前記下層吸収体１０の上面によって構成されることになり、前述したように、前記凹部８として、逆截頭錐台形状の凹部形状が構成されるようになっている。
【００５０】
以上詳述した生理用ナプキン１を身体に装着した状態で、体液が排出されると、体液は前記集液用スロープ部１２の上面を滑り落ちて凹部８の底部に集液される。このように、体液が１箇所に素早く集液されることによって肌との接触機会が少なくなり、肌トラブルが未然に防止できるようになる。
【００５１】
前記凹部８の底面に集液された体液は、前記下層吸収体１０に吸収された後、前記拡散用エンボス１４，１４…によってナプキン１の長手方向に沿って拡散される。拡散された体液は、主に前記拡散用エンボ１４，１４…が形成された領域に多く滞留することになるが、上側に上層吸収体が存在していること及び前記集液用スロープ部１２の上面に不透液性シート１３又は難透液性シート１３が配置されていることにより、逆戻りすることがない。更に、不透液性シート１３又は難透液性シート１３が配置されていることによって吸収体の変形を抑えるため、体液の吸収によって高吸水性ポリマーが膨潤して凹部８が消失したり、凹部８の容積が減少したりするのを防止することができる。
【００５２】
〔他の形態例〕
(1)前記不透液性シート１３又は難透液性シート１３は、図示例のように、前記集液用スロープ部１２の上面だけを覆うように配置してもよいが、前記上層吸収体９と前記下層吸収体１０との間に、前記貫通部１１の周縁位置を内方側始端として周方向周りに第２の不透液性シート又は難透液性シートを介在させるようにしてもよい。具体的には図６に示されるように、前記凹部８の底部に対応するクレープ紙５は開口とし、前記不透液性シート１３又は難透液性シート１３の内方側（貫通部１１側）は、前記貫通部１１の縁で上層吸収体９の裏面側に折り返すように配置したり、前記不透液性シート１３又は難透液性シート１３とは別に、平面視でドーナツ形状の不透液性シート又は難透液性シートを前記上層吸収体９と前記下層吸収体１０との間に介在させるようにしてもよい。この場合は、集液用スロープ部１２の貫通部１１近傍部分において、集液用スロープ部１２を伝わって流れ落ちてきた体液を放射方向に拡散させて下層吸収体１０に導くことが可能となる。
(2)上記形態例では、前記不透液性シート１３又は難透液性シート１３は、透液性表面シート３の下面側であって、かつ前記クレープ紙５の上面側に配置するようにしたが、前記クレープ紙５の下面側に配置するようにしてもよい。
(3)上記形態例では、前記表面シート３は透液性としたが、部位ごとに親水性を示す部分と撥水性を示す部分とに区分けしてもよい。たとえば、前記貫通部１１に対応する部位については、親水性とし、それ以外の領域については撥水性としてもよい。この場合、排出された体液が撥水性の表面シート３を素早く流れ落ちて、凹部８の底部に集まり易くなり、表面シート３における体液の吸収、拡散を防止することが可能となる。また、前記貫通部１１に対応する部位について、表面シート３に体液を通過させるための開孔を多数設けるようにしてもよい。
(4)上記形態例では、図２に示されるように、前記表面シート３は凹部８の形状に沿わせるように配置したが、図７に示されるように、表面シート３を上層吸収体９の凹部８以外の上面に沿って張設するように配設し、表面シート３の下面側に凹部８空間を形成するようにしてもよい。
(5)上記形態例では、前記拡散用エンボス１４，１４…は、前記貫通部１１及び集液用スロープ部１２の領域に対して形成するようにしたが、この領域を越えて長手方向に延ばして形成するようにしてもよい。
【符号の説明】
【００５３】
１…生理用ナプキン、２…不透液性裏面シート、３…表面シート、４…吸収体、５…クレープ紙、７…サイド不織布、８…凹部、９…上層吸収体、１０…下層吸収体、１１…貫通部、１２…集液用スロープ部、１３…不透液性シート又は難透液性シート、１４…拡散用エンボス
【図１】
2015181665.tif 000003
【図２】
2015181665.tif 000004
【図３】
2015181665.tif 000005
【図４】
2015181665.tif 000006
【図５】
2015181665.tif 000007
【図６】
2015181665.tif 000008
【図７】
2015181665.tif 000009